(57)【特許請求の範囲】
【請求項１】
水溶性着色剤およびエチレングリコール類と水からなる水性インクにおいて、下記一般構造式のスルホコハク酸ジ−２−エチルヘキシルエステルナトリウム塩誘導体（化合物２）を含有することを特徴とするインクジェット用インク組成物。
【化１】
0004070066.tif 000012
（ＸはＯＨ，ＮＨ2 ，ＳＯ3 Ｎａ，ＣＯＯＮａ，ＣＯＯＫまたはＯＣＨ3である。）
【請求項２】
水溶性着色剤およびエチレングリコール類と水からなる水性インクにおいて、下記一般構造式のコハク酸ジ−２−エチルヘキシルエステル誘導体（化合物３）を含有することを特徴とするインクジェット用インク組成物。
【化２】
0004070066.tif 000013
（ＸはＯＨ，ＮＨ2 ，ＳＯ3 Ｎａ，ＣＯＯＮａ，ＣＯＯＫまたはＯＣＨ3である。）
【請求項３】
水溶性着色剤およびエチレングリコール類と水からなる水性インクにおいて、下記一般構造式のスルホコハク酸ジ−２−エチルヘキシルエステルナトリウム塩誘導体（化合物２）、下記一般構造式のコハク酸ジ−２−エチルヘキシルエステル誘導体（化合物３）から選ばれた少なくとも一種の化合物を０．０５〜５ｗｔ％含有することを特徴とするインクジェット用インク組成物。
【化３】
0004070066.tif 000014
（ＸはＯＨ，ＮＨ2 ，ＳＯ3 Ｎａ，ＣＯＯＮａ，ＣＯＯＫまたはＯＣＨ3である。）
【化４】
0004070066.tif 000015
（ＸはＯＨ，ＮＨ2 ，ＳＯ3 Ｎａ，ＣＯＯＮａ，ＣＯＯＫまたはＯＣＨ3である。）
【請求項４】
水溶性着色剤およびグリセリンとエチレングリコール類と水からなる水性インクにおいて、下記一般構造式のスルホコハク酸ジ−２−エチルヘキシルエステルナトリウム塩誘導体（化合物２）を含有することを特徴とするインクジェット用インク組成物。
【化５】
0004070066.tif 000016
（ＸはＯＨ，ＮＨ2 ，ＳＯ3 Ｎａ，ＣＯＯＮａ，ＣＯＯＫまたはＯＣＨ3である。）
【請求項５】
水溶性着色剤およびグリセリンとエチレングリコール類と水からなる水性インクにおいて、下記一般構造式のコハク酸ジ−２−エチルヘキシルエステル誘導体（化合物３）を含有することを特徴とするインクジェット用インク組成物。
【化６】
0004070066.tif 000017
（ＸはＯＨ，ＮＨ2 ，ＳＯ3 Ｎａ，ＣＯＯＮａ，ＣＯＯＫまたはＯＣＨ3である。）
【請求項６】
水溶性着色剤およびグリセリンとエチレングリコール類と水からなる水性インクにおいて、下記一般構造式のスルホコハク酸ジ−２−エチルヘキシルエステルナトリウム塩誘導体（化合物２）、下記一般構造式のコハク酸ジ−２−エチルヘキシルエステル誘導体（化合物３）から選ばれた少なくとも一種の化合物を０．０５〜５ｗｔ％含有することを特徴とするインクジェット用インク組成物。
【化７】
0004070066.tif 000018
（ＸはＯＨ，ＮＨ2 ，ＳＯ3 Ｎａ，ＣＯＯＮａ，ＣＯＯＫまたはＯＣＨ3である。）
【化８】
0004070066.tif 000019
（ＸはＯＨ，ＮＨ2 ，ＳＯ3 Ｎａ，ＣＯＯＮａ，ＣＯＯＫまたはＯＣＨ3である。）
【発明の詳細な説明】
【０００１】
【発明の属する技術分野】
本発明は、インクジェット用インク組成物に関するものである。
【０００２】
【従来の技術】
特開平６−２５５７３号公報には、印字休止後の吐出不良がなく、安定性、目詰まり防止性に優れたインクジェット用のインク組成物が開示されている。すなわち、この公報には、染料を良く溶解する化合物を用いることにより、インクジェツトプリンターにおける印字ヘッドの目詰まりの問題が解決できることが示されている。またこの公報には、インク組成物の成分である各種の着色剤が提案されている。しかしながら、このインク組成物においても、インク噴射の長期信頼性を完全に満足するには到っていない。
【０００３】
インクジェット用インクの成分として用いるには、第１にインクを安定して噴射できることが要求されるが、インク中の染料が十分に溶けていない場合、長期間使用しないままおくと、印字ヘッド先端のノズル部においてインクの水分が蒸発して固溶体になり、染料の溶解力が弱まってこれが析出し、ノズルに付着してインクの吐出安定性が低下してしまう。
【０００４】
【発明が解決しようとする課題】
本発明は従来技術の上記問題点に鑑みなされたもので、その第１の目的は、染料の溶解性が高く、インク噴射を長期間停止した後のインク噴射の信頼性が向上した、インクジェット用インク組成物を提供することにある。
【０００５】
本発明の第２の目的は、顔料性の染料の溶解性が高く、インクジェットプリンターのインク通路でのフィルターの目詰まりがなくなり、インク噴射を長期間停止した後のインク噴射の信頼性が向上した、インクジェット用インク組成物を提供することである。
【０００６】
【課題を解決するための手段】
上記第１の目的を達成するため、本願発明に係るインクジェット用インク組成物は下記（１）〜（３）の技術的特徴を有する。
【０００７】
（１）水溶性着色剤およびエチレングリコール類と水からなる水性インクにおいて、下記一般構造式のスルホコハク酸ジ−２−エチルヘキシルエステルナトリウム塩誘導体（化合物２）を含有することを特徴とする。
【化９】
0004070066.tif 000002
（ＸはＯＨ，ＮＨ2 ，ＳＯ3 Ｎａ，ＣＯＯＮａ，ＣＯＯＫまたはＯＣＨ3である。）
【０００８】
（２）水溶性着色剤およびエチレングリコール類と水からなる水性インクにおいて、下記一般構造式のコハク酸ジ−２−エチルヘキシルエステル誘導体（化合物３）を含有することを特徴とする。
【化１０】
0004070066.tif 000003
（ＸはＯＨ，ＮＨ2 ，ＳＯ3 Ｎａ，ＣＯＯＮａ，ＣＯＯＫまたはＯＣＨ3である。）
【０００９】
（３）水溶性着色剤およびエチレングリコール類と水からなる水性インクにおいて、下記一般構造式のスルホコハク酸ジ−２−エチルヘキシルエステルナトリウム塩誘導体（化合物２）、下記一般構造式のコハク酸ジ−２−エチルヘキシルエステル誘導体（化合物３）から選ばれた少なくとも一種の化合物を０．０５〜５ｗｔ％含有することを特徴とする。
【化１１】
0004070066.tif 000004
（ＸはＯＨ，ＮＨ2 ，ＳＯ3 Ｎａ，ＣＯＯＮａ，ＣＯＯＫまたはＯＣＨ3である。）
【化１２】
0004070066.tif 000005
（ＸはＯＨ，ＮＨ2 ，ＳＯ3 Ｎａ，ＣＯＯＮａ，ＣＯＯＫまたはＯＣＨ3である。）
【００１０】
上記第２の目的を達成するため、本願発明に係るインクジェット用インク組成物は下記（４）〜（６）の技術的特徴を有する。
【００１１】
（４）に記載のインクジェット用インク組成物は、水溶性着色剤およびグリセリンとエチレングリコール類と水からなる水性インクにおいて、下記一般構造式のスルホコハク酸ジ−２−エチルヘキシルエステルナトリウム塩誘導体（化合物２）を含有することを特徴とする。
【化１３】
0004070066.tif 000006
（ＸはＯＨ，ＮＨ2 ，ＳＯ3 Ｎａ，ＣＯＯＮａ，ＣＯＯＫまたはＯＣＨ3である。）
【００１２】
（５）水溶性着色剤およびグリセリンとエチレングリコール類と水からなる水性インクにおいて、下記一般構造式のコハク酸ジ−２−エチルヘキシルエステル誘導体（化合物３）を含有することを特徴とする。
【化１４】
0004070066.tif 000007
（ＸはＯＨ，ＮＨ2 ，ＳＯ3 Ｎａ，ＣＯＯＮａ，ＣＯＯＫまたはＯＣＨ3である。）
【００１３】
（６）水溶性着色剤およびグリセリンとエチレングリコール類と水からなる水性インクにおいて、下記一般構造式のスルホコハク酸ジ−２−エチルヘキシルエステルナトリウム塩誘導体（化合物２）、下記一般構造式のコハク酸ジ−２−エチルヘキシルエステル誘導体（化合物３）から選ばれた少なくとも一種の化合物を０．０５〜５ｗｔ％含有することを特徴とする。
【化１５】
0004070066.tif 000008
（ＸはＯＨ，ＮＨ2 ，ＳＯ3 Ｎａ，ＣＯＯＮａ，ＣＯＯＫまたはＯＣＨ3である。）
【化１６】
0004070066.tif 000009
（ＸはＯＨ，ＮＨ2 ，ＳＯ3 Ｎａ，ＣＯＯＮａ，ＣＯＯＫまたはＯＣＨ3である。）
【００１４】
【発明の実施の形態】
以下、本発明の実施の形態について説明する。
上記説明では、本発明に係るインクジェット用インク組成物の基本的成分を示したが、一般に、インクジェット用インクとして必要不可欠な特性は、種々の添加剤によってかなり制御できることが知られている。特に、最初に挙げた第１の必要特性（インク噴射の長期信頼性）に関しては、添加調整剤の貢献が大きいと云われている。
【００１５】
第２の必要特性であるインクの色濃度に関しては、着色剤の濃度や、溶媒の水に対する溶解性等の性質にほぼ全面的に依存していることが確認されている。また第３の必要特性である、インクによる目詰まり防止性を付与するには、インク成分である着色剤を溶解するための溶解剤が最適なものでなければならない。
【００１６】
インク組成物の成分としては、着色剤（染料）、湿潤剤、表面張力調整剤および防腐剤等が挙げられる。インクジェット用インクに用いる着色剤としては従来から種々の染料、例えば直接染料、酸性染料、塩基性染料、反応性染料および分散染料等の水溶性染料が報告されている。これらの多くのものは、インクジェット用インクの着色剤として用いるには溶解性の点で問題があった。それ故、インクジェットプリンターに使用した場合に、ノズルの目詰まりやフィルターの目詰まりを引き起こす直接の原因になっていた。
【００１７】
この問題を解決するため本発明者は、着色剤の溶解性が高く、目詰まりが発生しない、着色剤の溶解剤を含有するインクについて鋭意検討し、上記したインクジェット用インクの特性を全て兼ね備えたインクを開発し、本発明に到ったものである。
【００１８】
インクジェット用インクに用いる湿潤剤としてはエチレングリコール類や、エチレングリコール、エチレングリコールそれぞれのアルキルエーテル等が挙げられる。湿潤剤は、インクを噴射するノズルの先端でインクが乾燥した場合にも保水して染料の乾固を防いでいるが、同時に染料の溶解性を低下させないものでなければならない。また、インクジェット用インクに用いる表面張力調整剤としては界面活性剤が用いられ、インクの粒子化状態を変化させるのに重要な役割を果たす。
【００１９】
本発明のインクジェット用インク組成物の成分としてのスルホコハク酸ジ−２−エチルヘキシルエステルナトリウム塩、その誘導体のいずれも、着色剤すなわち染料や顔料性の染料の溶解剤であり、水に対する溶解性を極めて高くするものである。着色剤には顔料性の染料が多く、色彩は良好であるが、水に溶けないものが多い、しかし、印字後の印字濃度は高くなるので、水に溶解できればインクジェット用インクに適しているといえる。顔料性の染料は、いくつもの染料分子が凝集しているため、一般的な溶解剤では溶解することが困難であるが、スルホコハク酸ジ−２−エチルヘキシルエステルナトリウム塩または、その誘導体をエチレングリコール類やグリセリンと共に添加すると、染料を非常に良く溶解することができる。
【００２０】
上記化合物２（スルホコハク酸ジ−２−エチルヘキシルエステルナトリウム塩誘導体）の具体例を挙げると、下記［表１］（化合物２ａ〜化合物２ｄ）のとおりである。
【００２１】
【表１】
0004070066.tif 000010
【００２２】
また、上記化合物３（コハク酸ジ−２−エチルヘキシルエステル誘導体）の具体例を挙げると、下記[表２]（化合物３ａ〜化合物３ｄ）に示すとおりである。
【００２３】
【表２】
0004070066.tif 000011
【００２４】
本発明に係るインク組成物におけるエチレングリコール類は湿潤剤であり、かつ、着色剤の溶解剤である。このエチレングリコール類としては、エチレングリコール，ジエチレングリコール，トリエチレングリコール，テトラエチレングリコール，ポリエチレングリコール＃１００，ポリエチレングリコール＃２００，ポリエチレングリコール＃３００，ポリエチレングリコール＃４００等が挙げられる。
【００２５】
本発明に係るインク組成物では、この組成物全体に占めるスルホコハク酸ジ−２−エチルヘキシルエステルナトリウム塩またはその誘導体、あるいは上記コハク酸ジ−２−エチルヘキシルエステル誘導体の含有量が０．０５〜５ｗｔ％が好ましく、インクジェットプリンター用インクとして適しており、０．２〜２ｗｔ％が特に好ましい。
【００２６】
上記範囲のスルホコハク酸ジ−２−エチルヘキシルエステルナトリウム塩またはその誘導体、あるいは上記コハク酸ジ−２−エチルヘキシルエステル誘導体を含有するインクジェット用インク組成物は、着色剤である染料や顔料性の染料の溶解性が高いため、インクジェットプリンターの印字ヘッド部に充填して、６ヶ月以上もの長期間放置した場合にもノズルの目詰まりがなく、インクの噴射方向が非常に安定している。
【００２７】
上記のスルホコハク酸ジ−２−エチルヘキシルエステルナトリウム塩とその誘導体、上記コハク酸ジ−２−エチルヘキシルエステル誘導体は、エチレングリコール類と同様にインクジェット水性インクの着色剤を良く溶解するとともに、染料の溶媒であるイオン交換水に対する溶解性も良好である。
【００２８】
これらスルホコハク酸ジ−２−エチルヘキシルエステルナトリウム塩、その誘導体、上記コハク酸ジ−２−エチルヘキシルエステル誘導体、エチレングリコール類やグリセリンは長期の保存に対しても、インク物性を変化させたり、インクを変質させることがなく、このため安定したインク特性を有するインクジット用インク組成物を提供することができる。
【００２９】
したがって、本発明のインクジェット用水性インクは、インクジェットプリンターのインク供給部やインク流路に充填し、長期間放置した時にも、インク中の成分が析出することがないため、印字ヘッド部へのインク供給が無理なく行え、インク滴が歪まずに吐出できるのでインクの噴射特性に優れている。
【００３０】
インクジェットプリンターに用いる印字ヘッドの種類により、ノズル径は大きく変化し、例えばノズル径は１０〜５０μｍの範囲で変わり得るが、この範囲のノズル径を用いる場合、ノズルの目詰まりを引き起こさない信頼性の高いインクとは、着色剤の溶解性が少なくとも５ｗｔ％であり、かつ０．３〜１μｍのろ過フィルター処理でフィルターが目詰まりを引き起こさないものである。
【００３１】
本発明のインクジェット用インクに用いる着色剤としては直接染料や、酸性染料、塩基性染料、反応性染料および分散染料等の水溶性染料が挙げられる。また、直接染料および酸性染料の具体例としては以下のようなものがある。
【００３２】
ＤｉｒｅｃｔＢｌａｃｋ１７，ＤｉｒｅｃｔＢｌａｃｋ１９，
ＤｉｒｅｃｔＢｌａｃｋ３２，ＤｉｒｅｃｔＢｌａｃｋ３８，
ＤｉｒｅｃｔＢｌａｃｋ５１，ＤｉｒｅｃｔＢｌａｃｋ１４６
ＤｉｒｅｃｔＢｌｕｅ１，ＤｉｒｅｃｔＢｌｕｅ６，
ＤｉｒｅｃｔＢｌｕｅ２２，ＤｉｒｅｃｔＢｌｕｅ７１，
ＤｉｒｅｃｔＢｌｕｅ１０６，ＤｉｒｅｃｔＢｌｕｅ１６８
【００３３】
ＡｃｉｄＹｅｌｌｏｗ１，ＡｃｉｄＹｅｌｌｏｗ１１，
ＡｃｉｄＹｅｌｌｏｗ１７，ＡｃｉｄＹｅｌｌｏｗ２３，
ＡｃｉｄＹｅｌｌｏｗ２９，ＡｃｉｄＹｅｌｌｏｗ４２
【００３４】
ＡｃｉｄＲｅｄ１８，ＡｃｉｄＲｅｄ２６，ＡｃｉｄＲｅｄ３７，
ＡｃｉｄＲｅｄ８７，ＡｃｉｄＲｅｄ９４，ＡｃｉｄＲｅｄ２６５
ＡｃｉｄＢｌｕｅ１，ＡｃｉｄＢｌｕｅ７，ＡｃｉｄＢｌｕｅ９，
ＡｃｉｄＢｌｕｅ２５，ＡｃｉｄＢｌｕｅ６２，ＡｃｉｄＢｌｕｅ１１３
【００３５】
本発明のインク組成物には以上の染料が適用可能であるが、これらの染料に限定されるものではなく、全ての水溶性染料を使用することが可能である。
【００３６】
【実施例】
以下に、本発明の実施例１〜６を以下に示す。
実施例１
インク組成物１の成分・組成は下記のとおり。
成分  重量含有率
染料 ＤｉｒｅｃｔＢｌａｃｋ１９ ４．０ｗｔ％
溶解剤 スルホコハク酸 ジ−２−エチルヘキシルエステルナトリウム塩 １．０ｗｔ％
湿潤剤・溶解剤 エチレングリコール １２．０ｗｔ％
溶媒 イオン交換水 ８３．０ｗｔ％
【００３７】
上記インク組成物１の染料ＤｉｒｅｃｔＢｌａｃｋ１９は、インクジェット用水性インクに用いられている染料であり、上記のスルホコハク酸ジ−２−エチルヘキシルエステルナトリウム塩とエチレングリコール類とを、それぞれの重量含有率で含むことによって、６ヶ月間の加速放置テストを満足する結果が得られた。この加速放置テストでは、インクを充填した印字ヘッドを乾燥器に放置し、常温常湿に比べて水分の乾燥速度が何倍も速い温湿度条件に設定して放置した後にインク噴射を行なったが、目詰まりせずに正常にインクを噴射することを確認した。
【００３８】
実施例２
インク組成物２の成分・組成は下記のとおり。
成分  重量含有率
染料 ＤｉｒｅｃｔＹｅｌｌｏｗ２３   ３．５ｗｔ％
溶解剤 スルホコハク酸ジ−２−エチルヘキシルエステルナトリウム塩誘導体 １．５ｗｔ％ （［表１］の化合物２ａ）
湿潤剤・溶解剤 ジエチレングリコール １０．０ｗｔ％
溶媒 イオン交換水 ８５．０ｗｔ％
【００３９】
インク組成物２の染料ＤｉｒｅｃｔＹｅｌｌｏｗ２３は、インクジェット用水性カラーインクに用いられている染料であり、上記のスルホコハク酸ジ−２−エチルヘキシルエステルナトリウム塩誘導体とエチレングリコール類をそれぞれの重量含有率で含むことによって、６．５ヶ月間の加速放置テストを満足する結果が得られた。この加速放置テストでは、インクを充填した印字ヘッドを乾燥器に放置し、常温常湿に比べて水分の乾燥速度が何倍も速い温湿度条件に設定して放置した後にインク噴射を行なったところ、目詰まりせずに正常にインクを噴射することを確認した。
【００４０】
実施例３
インク組成物３の成分・組成は下記のとおり。
成分  重量含有率
染料  ＡｃｉｄＢｌｕｅ１ ３．０ｗｔ％
溶解剤  スルホコハク酸ジ−２−エチルヘキシルエステルナトリウム塩誘導体  ０．５ｗｔ％ （［表２］の化合物３ａ）
湿潤剤・溶解剤  トリエチレングリコール  １１．０ｗｔ％
溶媒  イオン交換水  ８５．５ｗｔ％
【００４１】
インク組成物３の染料ＡｃｉｄＢｌｕｅ１は、インクジェット用水性インクに用いられている染料であり、上記のスルホコハク酸ジ−２−エチルヘキシルエステルナトリウム塩誘導体とエチレングリコール類をそれぞれの重量含有率で含むことによって７．５ヶ月間の加速放置テストを満足する結果が得られた。加速放置テストでは、インクを充填した印字ヘッドを乾燥器に放置し、常温常湿に比べて水分の乾燥速度が何倍も速い温湿度条件に設定して放置した後にインク噴射を行なったところ、目詰まりせずに正常にインクを噴射することを確認した。
【００４２】
実施例４
インク組成物４の成分・組成は下記のとおり。
成分  重量含有率
染料  ＡｃｉｄＲｅｄ９４  ３．５ｗｔ％
溶解剤  スルホコハク酸 ジ−２−エチルヘキシルエステル ナトリウム塩  ２．０ｗｔ％ 湿潤剤・溶解剤  グリセリン  ４．５ｗｔ％
ポリエチレングリコール＃１００ ８．０ｗｔ％
溶媒 イオン交換水  ８２．０ｗｔ％
【００４３】
インク組成物４の染料ＡｃｉｄＲｅｄ９４は、インクジェット用水性カラーインクに用いられている染料であり、上記のスルホコハク酸ジ−２−エチルヘキシルエステルナトリウム塩とエチレングリコール類をそれぞれの重量含有率で含むことによって７ヶ月間の加速放置テストを満足する結果が得られた。加速放置テストでは、インクを充填した印字ヘッドを乾燥器に放置し、常温常湿に比べて水分の乾燥速度が何倍も速い温湿度条件に設定して放置した後にインク噴射を行なったところ、目詰まりせずに正常にインクを噴射することを確認した。
【００４４】
実施例５
インク組成物５の成分・組成は下記のとおり。
成分  重量含有率
染料  ＤｉｒｅｃｔＢｌａｃｋ１４６  ３．５ｗｔ％
溶解剤  スルホコハク酸 ジ−２−エチルヘキシルエステルナトリウム塩誘導体 １．０ｗｔ％  （［表１］の化合物２ｂ）
湿潤剤・溶解剤  グリセリン  ３．０ｗｔ％
ポリエチレングリコール＃１００  ７．５ｗｔ％
溶媒  イオン交換水  ８５．０ｗｔ％
【００４５】
インク組成物５の染料ＤｉｒｅｃｔＢｌａｃｋ１４６は、インクジェット用水性カラーインクに用いられている染料であり、上記のスルホコハク酸ジ−２−エチルヘキシルエステルナトリウム塩誘導体とエチレングリコール類をそれぞれの重量含有率で含むことによって、７ヶ月間の加速放置テストを満足する結果が得られた。加速放置テストでは、インクを充填した印字ヘッドを乾燥器に放置し、常温常湿に比べて水分の乾燥速度が何倍も速い温湿度条件に設定して放置した後にインク噴射を行なったところ、目詰まりせずに正常にインクを噴射することを確認した。
【００４６】
実施例６
インク組成物６の成分・組成は下記のとおり。
成分  重量含有率
染料  ＡｃｉｄＹｅｌｌｏｗ４２  ３．５ｗｔ％
溶解剤  スルホコハク酸ジ−２−エチルヘキシルエステルナトリウム塩誘導体  １．０ｗｔ％ （［表２］の化合物３ａ）
湿潤剤・溶解剤  グリセリン  ３．５ｗｔ％
ポリエチレングリコール＃１００  ７．０ｗｔ％
溶媒  イオン交換水  ８５．０ｗｔ％
【００４７】
インク組成物６の染料ＡｃｉｄＹｅｌｌｏｗ４２は、インクジェット用水性カラーインクに用いられている染料であり、上記のスルホコハク酸ジ−２−エチルヘキシルステルナトリウム塩誘導体とエチレングリコール類をそれぞれの重量含有率で含むことによって、７ヶ月間の加速放置テストを満足する結果が得られた。加速放置テストでは、インクを充填した印字ヘッドを乾燥器に放置し、常温常湿に比べて水分の乾燥速度が何倍も速い温湿度条件に設定して放置した後にインク噴射を行なったところ、目詰まりせずに正常にインクを噴射することを確認した。
【００４８】
実施例１〜６における加速放置テストの温湿度条件は５０℃・２５％ＲＨであり、この条件での水分の乾燥速度は、常温常湿２０℃・６０％ＲＨの約１０倍である。
【００４９】
【発明の効果】
以上の説明で明らかなように、本発明によれば以下の効果が得られる。
（１）請求項１〜３の発明による効果
本発明のインクジェット用インク組成物を使用することによって染料の溶解性を高まり、インク噴射を長期停止した後のインク噴射の信頼性が向上する。
【００５０】
（２）請求項４〜６の発明の効果
本発明のインクジェット用インク組成物を使用することによって顔料性の染料の溶解性が高まり、インクジェットプリンターのインク通路でのフィルターの目詰まりがなくなり、インク噴射を長期停止した後のインク噴射の信頼性が向上する。